(57)【特許請求の範囲】
【請求項１】
壁体を含み、
前記壁体の中には窓口が設置され、前記窓口が室内と室外とを連通し、風通しの機能を有し、前記窓口の中には上回転軸が回転できるように設置され、前記窓口の右端壁の中には回転モータが固定的に設置され、前記上回転軸の右端は前記回転モータに動力が伝達できるように連結され、前記上回転軸には上窓が固定的に設置され、前記上窓の中には伸縮空間が設置され、前記伸縮空間の中には伸縮板がスライドできるように設置され、前記伸縮板の中にはネジ山軸がネジ山で連結され、前記ネジ山軸の右側にはスプラインスリーブが回転できるように設置され、前記伸縮空間の上端壁には動力モータが固定的に設置され、前記ネジ山軸の上端は前記動力モータに動力が伝達できるように連結され、前記伸縮板の下側には下回転軸が設置され、前記下回転軸の左右端がそれぞれ前記窓口の左右端壁と回転できるように連結され、前記下回転軸には下窓が固定的に設置され、前記下窓の中には凹空間が設置され、前記伸縮板と前記凹空間とは挿入されるように連結されることができ、
前記下窓と前記上窓との中にはいずれも動力伝達装置が設置され、上下の前記動力伝達装置はスプラインで連結されることができ、上側の前記動力伝達装置と前記動力モータとは動力が伝達できるように連結され、前記動力伝達装置の左右側には対称の防火装置が設置され、前記防火装置と前記動力伝達装置とは動力が伝達できるように連結され、
前記窓口の左側には連結装置が設置され、前記連結装置の上側は前記上回転軸と動力が伝達できるように連結され、前記連結装置の下側は回転装置によって前記下回転軸と動力が伝達できるように連結され、前記上窓を開けることは前記下窓の開けることを駆動し、また、前記伸縮板の伸縮が日除け区域の面積を調整でき、前記連結装置の下側には復帰装置が設置され、前記復帰装置は前記回転装置を初期状態に戻すことができることを特徴とする防火と日除けの一体化した窓。
【請求項２】
前記動力伝達装置はベルト空間を含み、
前記ベルト空間の中には第一回転軸と第二回転軸とが回転できるように設置され、前記第一回転軸が前記第二回転軸の左側に位置し、前記第一回転軸と前記第二回転軸とはベルトによって動力が伝達できるように連結され、上側の前記第二回転軸の下端が前記スプラインスリーブとスプラインで連結され、下側の前記第二回転軸の上端は前記凹空間の中に延在し、且つ前記スプラインスリーブの下端とスプラインで連結されることができ、上側の前記第一回転軸の下端は前記動力モータに動力が伝達できるように連結され、
前記ベルト空間において互いに離れた片側には伝動空間が連通するように設置され、前記第一回転軸において互いに離れた一端が前記伝動空間の中に延在し、且つ前記第一回転軸において互いに離れた一端には伝動ギヤが固定的に設置され、前記伝動ギヤが前記防火装置と噛み合うように連結されていることを特徴とする請求項１に記載の防火と日除けの一体化した窓。
【請求項３】
前記防火装置は左右対称の防火空間を含み、
前記防火空間の中には装着ブロックがスライドできるように設置され、前記装着ブロックの外周には環状板が固定的に設置され、前記環状板の外周には防火密封綿が装着され、
前記防火空間と前記伝動空間との間には連結溝が連通するように形成され、前記連結溝の中にはラックがスライドできるように設置され、前記ラックにおいて前記伝動空間から離れた一端が前記装着ブロックと固定的に連結され、前記ラックの他端が前記伝動空間の中に延在し、且つ前記伝動ギヤと噛み合うように連結されていることを特徴とする請求項１に記載の防火と日除けの一体化した窓。
【請求項４】
前記連結装置は連結空間を含み、
前記上回転軸の左端が前記連結空間の中に延在し、且つ前記上回転軸の左端には第一ベベルギヤが固定的に設置され、前記第一ベベルギヤの下側には連結ギヤが噛み合うように連結され、前記連結ギヤの後端には回転ギヤが噛み合うように連結され、
前記回転ギヤの軸心部には連結軸が固定的に連結され、前記連結軸の下端は前記回転装置と動力が伝達できるように連結されていることを特徴とする請求項１に記載の防火と日除けの一体化した窓。
【請求項５】
前記連結ギヤはベベルギヤとスパーギヤとの上下に固定的に連結されることで構成され、ベベルギヤ部分が前記第一ベベルギヤと噛み合っており、スパーギヤ部分が前記回転ギヤと噛み合っていることを特徴とする請求項４に記載の防火と日除けの一体化した窓。
【請求項６】
前記回転装置は回転空間を含み、
前記回転空間が前記連結空間と前記窓口とを連通し、前記連結軸の下端が前記回転空間の中に延在し、且つ前記連結軸の下端には噛み合いギヤが固定的に設置され、前記噛み合いギヤの左端には推動ブロックが噛み合うように連結され、
前記回転空間の後端壁にはガイドスライド溝が連通するように形成され、前記推動ブロックの後端が前記ガイドスライド溝の中に延在し、且つ前記推動ブロックの後端には伸縮ばねが固定的に設置され、前記下回転軸の左端が前記回転空間の中に延在し、且つ前記下回転軸の左端には回転ブロックが固定的に設置され、前記推動ブロックの前端が前記回転ブロックと当接し、前記回転ブロックの前端と前記回転空間との間には圧力ばねが固定的に設置され、前記回転ブロックの上端が斜面構造であり、且つ前記復帰装置と当接でき、
前記回転空間の前端壁には磁性ブロックが固定的に設置され、前記磁性ブロックと前記回転ブロックとは磁性で吸引し合うように連結されることができることを特徴とする請求項１に記載の防火と日除けの一体化した窓。
【請求項７】
前記復帰装置は前記回転空間と連通した復帰溝を含み、
前記復帰溝の中には復帰ブロックがスライドできるように設置され、前記復帰ブロックの後端が前記回転ブロックと当接でき、前記復帰ブロックの中には連通溝が形成され、前記復帰ブロックの前端と前記復帰溝との間には復帰ばねが固定的に設置され、前記復帰溝の上側にはスライドロッド溝が連通するように形成され、前記スライドロッド溝の中にはスライドロッドがスライドできるように設置され、前記スライドロッドの下端が前記連通溝の後端と当接し、前記スライドロッドの前端面には第一ばねが固定的に設置され、
前記スライドロッド溝の上側には移動溝が形成され、前記移動溝の中には移動ブロックがスライドできるように設置され、前記移動ブロックの中には当接溝が形成され、前記スライドロッドの上端と前記当接溝とが当接し、前記移動ブロックの前端には第二ばねが固定的に設置され、前記移動溝と前記窓口との間には押圧溝が連通するように形成され、前記押圧溝の中には押圧ブロックがスライドできるように設置され、前記押圧ブロックの左端と前記移動ブロックとは当接することができることを特徴とする請求項１に記載の防火と日除けの一体化した窓。
【発明の詳細な説明】
【技術分野】
【０００１】
本願発明は一体化の窓技術分野を取り上げて、具体的には防火と日除けの一体化した窓である。
【背景技術】
【０００２】
一体化の窓は取り付けの便利を図り、取り付けのコストを省き、操作に便利を与えるために設計されるものであり、防火と日除けの一体化した窓はよく防炎カーテンを使って防火したり、日光を遮蔽したりするので、防犯性が悪く、使用時に下方から上方へ防炎カーテンを巻き取るので、窓の風通し区域への調節が制限され、日除けの面積を増やすために、風通し区域を縮めなくてはいけなく、使用に不便であり、また、防炎カーテンと窓との間には隙間があり、火災が起きる時、火勢と煙の広がることを完全に阻止することが不可能である。本願発明は上記の問題を解決できる装置である。
【先行技術文献】
【特許文献】
【０００３】
【特許文献１】中国特許出願公開第１０７１２００４５号明細書
【発明の概要】
【発明が解決しようとする課題】
【０００４】
技術問題：
従来の防火と日除けの一体化した窓はよく防炎カーテンを使って防火したり、日光を遮蔽したりするのであり、防犯性が悪く、使用時に下方から上方へ防炎カーテンを巻き取り、窓の風通し区域の調節が制限られる。
【課題を解決するための手段】
【０００５】
上記の問題を解決するために、本願は防火と日除けの一体化した窓を設計し、本願の防火と日除けの一体化した窓は、壁体を含み、前記壁体の中には窓口が設置され、前記窓口が室内と室外とを連通し、風通しの機能を有し、前記窓口の中には上回転軸が回転できるように設置され、前記窓口の右端壁の中には回転モータが固定的に設置され、前記上回転軸の右端は前記回転モータに動力が伝達できるように連結され、前記上回転軸には上窓が固定的に設置され、前記上窓の中には伸縮空間が設置され、前記伸縮空間の中には伸縮板がスライドできるように設置され、前記伸縮板の中にはネジ山軸がネジ山で連結され、前記ネジ山軸の右側にはスプラインスリーブが回転できるように設置され、前記伸縮空間の上端壁には動力モータが固定的に設置され、前記ネジ山軸の上端は前記動力モータに動力が伝達できるように連結され、前記伸縮板の下側には下回転軸が設置され、前記下回転軸の左右端がそれぞれ前記窓口の左右端壁と回転できるように連結され、前記下回転軸には下窓が固定的に設置され、前記下窓の中には凹空間が設置され、前記伸縮板と前記凹空間とは挿入されるように連結されることができ、前記下窓と前記上窓との中にはいずれも動力伝達装置が設置され、上下の前記動力伝達装置はスプラインで連結されることができ、上側の前記動力伝達装置と前記動力モータとは動力が伝達できるように連結され、前記動力伝達装置の左右側には対称の防火装置が設置され、前記防火装置と前記動力伝達装置とは動力が伝達できるように連結され、前記窓口の左側には連結装置が設置され、前記連結装置の上側は前記上回転軸と動力が伝達できるように連結され、前記連結装置の下側は回転装置によって前記下回転軸と動力が伝達できるように連結され、前記上窓を開けることは前記下窓の開けることを駆動し、また、前記伸縮板の伸縮が日除け区域の面積を調整でき、前記連結装置の下側には復帰装置が設置され、前記復帰装置は前記回転装置を初期状態に戻すことができる。
【０００６】
前記動力伝達装置はベルト空間を含み、前記ベルト空間の中には第一回転軸と第二回転軸とが回転できるように設置され、前記第一回転軸が前記第二回転軸の左側に位置し、前記第一回転軸と前記第二回転軸とはベルトによって動力が伝達できるように連結され、上側の前記第二回転軸の下端が前記スプラインスリーブとスプラインで連結され、下側の前記第二回転軸の上端は前記凹空間の中に延在し、且つ前記スプラインスリーブの下端とスプラインで連結されることができ、上側の前記第一回転軸の下端は前記動力モータに動力が伝達できるように連結され、前記ベルト空間において互いに離れた片側には伝動空間が連通するように設置され、前記第一回転軸において互いに離れた一端が前記伝動空間の中に延在し、且つ前記第一回転軸において互いに離れた一端には伝動ギヤが固定的に設置され、前記伝動ギヤが前記防火装置と噛み合うように連結され、前記上窓が室外まで回転して日光を遮る時、前記動力モータが作動し、前記伸縮板が下方へ伸縮し、日除けの区域を調節でき、前記上窓と前記下窓とが前記窓口を閉める時に、前記伸縮板が下降し、前記スプラインスリーブは上下の前記第二回転軸とスプラインで連結され、上下の前記防火装置が同期作動して防火できる。
【０００７】
前記防火装置は左右対称の防火空間を含み、前記防火空間の中には装着ブロックがスライドできるように設置され、前記装着ブロックの外周には環状板が固定的に設置され、前記環状板の外周には防火密封綿が装着され、前記防火空間と前記伝動空間との間には連結溝が連通するように形成され、前記連結溝の中にはラックがスライドできるように設置され、前記ラックにおいて前記伝動空間から離れた一端が前記装着ブロックと固定的に連結され、前記ラックの他端が前記伝動空間の中に延在し、且つ前記伝動ギヤと噛み合うように連結され、前記伝動ギヤが回転する時、左右の前記防火密封綿が背を向けて移動し、前記窓口を閉鎖し、火事時に火勢と煙の広がることを阻止できる。
【０００８】
前記連結装置は連結空間を含み、前記上回転軸の左端が前記連結空間の中に延在し、且つ前記上回転軸の左端には第一ベベルギヤが固定的に設置され、前記第一ベベルギヤの下側には連結ギヤが噛み合うように連結され、前記連結ギヤの後端には回転ギヤが噛み合うように連結され、前記回転ギヤの軸心部には連結軸が固定的に連結され、前記連結軸の下端は前記回転装置と動力が伝達できるように連結され、前記上窓の回転で前記窓口を開ける時、前記連結装置で前記回転装置を作動させることができ、前記下窓の回転を制御して前記窓口を開ける。
【０００９】
好ましくは、前記連結ギヤはベベルギヤとスパーギヤとの上下に固定的に連結されることで構成され、ベベルギヤ部分が前記第一ベベルギヤと噛み合っており、スパーギヤ部分が前記回転ギヤと噛み合っている。
【００１０】
前記回転装置は回転空間を含み、前記回転空間が前記連結空間と前記窓口とを連通し、前記連結軸の下端が前記回転空間の中に延在し、且つ前記連結軸の下端には噛み合いギヤが固定的に設置され、前記噛み合いギヤの左端には推動ブロックが噛み合うように連結され、前記回転空間の後端壁にはガイドスライド溝が連通するように形成され、前記推動ブロックの後端が前記ガイドスライド溝の中に延在し、且つ前記推動ブロックの後端には伸縮ばねが固定的に設置され、前記下回転軸の左端が前記回転空間の中に延在し、且つ前記下回転軸の左端には回転ブロックが固定的に設置され、前記推動ブロックの前端が前記回転ブロックと当接し、前記回転ブロックの前端と前記回転空間との間には圧力ばねが固定的に設置され、前記回転ブロックの上端が斜面構造であり、且つ前記復帰装置と当接でき、前記回転空間の前端壁には磁性ブロックが固定的に設置され、前記磁性ブロックと前記回転ブロックとは磁性で吸引し合うように連結されることができる。
【００１１】
前記復帰装置は前記回転空間と連通した復帰溝を含み、前記復帰溝の中には復帰ブロックがスライドできるように設置され、前記復帰ブロックの後端が前記回転ブロックと当接でき、前記復帰ブロックの中には連通溝が形成され、前記復帰ブロックの前端と前記復帰溝との間には復帰ばねが固定的に設置され、前記復帰溝の上側にはスライドロッド溝が連通するように形成され、前記スライドロッド溝の中にはスライドロッドがスライドできるように設置され、前記スライドロッドの下端が前記連通溝の後端と当接し、前記スライドロッドの前端面には第一ばねが固定的に設置され、前記スライドロッド溝の上側には移動溝が形成され、前記移動溝の中には移動ブロックがスライドできるように設置され、前記移動ブロックの中には当接溝が形成され、前記スライドロッドの上端と前記当接溝とが当接し、前記移動ブロックの前端には第二ばねが固定的に設置され、前記移動溝と前記窓口との間には押圧溝が連通するように形成され、前記押圧溝の中には押圧ブロックがスライドできるように設置され、前記押圧ブロックの左端と前記移動ブロックとが当接し、前記上窓が前方へ回転することで前記窓口を開ける時、前記押圧ブロックが右方へ移動し、前記復帰ブロックの後端が前記回転空間から出て、前記回転ブロックと前記磁性ブロックとが連結され、この時、前記下窓が回転することで前記窓口を開け、前記上窓が回転することで前記窓口を閉める時、前記押圧ブロックが押されて左方へ移動し、前記復帰ブロックが後方へ移動し、前記回転ブロックと前記磁性ブロックとが離れ、前記下窓が回転して初期位置に戻り、最後に前記窓口を閉める。
【発明の効果】
【００１２】
本願発明の有益効果は：本願発明は上窓と下窓の協働で窓の開閉を実現でき、窓口の風通しの区域を調節でき、また、上窓の中には伸縮板が設置され、日除けの区域の面積を調整でき、他に、上窓と下窓とが挿入されるように連結されることでロックされるため、外へ押す又は内へ引く方法で窓を開けられなく、装置の防犯性と安全性を向上させ、火事の時、防火機能を有する密封綿で火勢と煙の広がることを阻止でき、窓口の密封性と安全性を上げられる。
【図面の簡単な説明】
【００１３】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１４】
【図１】図１は本願発明の防火と日除けの一体化した窓の全体構成模式図
【図２】図２は図１のＡの拡大構成模式図
【図３】図３は図１のＢ−Ｂ方向からの構成模式図
【図４】図４は図１のＣ−Ｃ方向からの構成模式図
【図５】図５は図１のＤ−Ｄ方向からの構成模式図
【発明を実施するための形態】
【００１５】
本願発明は防火と日除けの一体化した窓に関わり、防火と日除けの目的に応用され、以下に付図を交えて本願発明について更なる説明を行う。
【００１６】
本願発明に記載した防火と日除けの一体化した窓は、壁体１０を含み、前記壁体１０の中には窓口１１が設置され、前記窓口１１が室内と室外とを連通し、風通しの機能を有し、前記窓口１１の中には上回転軸１２が回転できるように設置され、前記窓口１１の右端壁の中には回転モータ１３が固定的に設置され、前記上回転軸１２の右端は前記回転モータ１３に動力が伝達できるように連結され、前記上回転軸１２には上窓１４が固定的に設置され、前記上窓１４の中には伸縮空間１５が設置され、前記伸縮空間１５の中には伸縮板１６がスライドできるように設置され、前記伸縮板１６の中にはネジ山軸１７がネジ山で連結され、前記ネジ山軸１７の右側にはスプラインスリーブ２６が回転できるように設置され、前記伸縮空間１５の上端壁には動力モータ１８が固定的に設置され、前記ネジ山軸１７の上端は前記動力モータ１８に動力が伝達できるように連結され、前記伸縮板１６の下側には下回転軸８０が設置され、前記下回転軸８０の左右端がそれぞれ前記窓口１１の左右端壁と回転できるように連結され、前記下回転軸８０には下窓４０が固定的に設置され、前記下窓４０の中には凹空間４１が設置され、前記伸縮板１６と前記凹空間４１とは挿入されるように連結されることができ、前記下窓４０と前記上窓１４との中にはいずれも動力伝達装置６０１が設置され、上下の前記動力伝達装置６０１はスプラインで連結されることができ、上側の前記動力伝達装置６０１と前記動力モータ１８とは動力が伝達できるように連結され、前記動力伝達装置６０１の左右側には対称の防火装置６０２が設置され、前記防火装置６０２と前記動力伝達装置６０１とは動力が伝達できるように連結され、前記窓口１１の左側には連結装置６０３が設置され、前記連結装置６０３の上側は前記上回転軸１２と動力が伝達できるように連結され、前記連結装置６０３の下側は回転装置６０４によって前記下回転軸８０と動力が伝達できるように連結され、前記上窓１４を開けることは前記下窓４０の開けることを駆動し、また、前記伸縮板１６の伸縮が日除け区域の面積を調整でき、前記連結装置６０３の下側には復帰装置６０５が設置され、前記復帰装置６０５は前記回転装置６０４を初期状態に戻すことができる。
【００１７】
実施例に基づき、以下に動力伝達装置６０１について詳しく説明し、前記動力伝達装置６０１はベルト空間２３を含み、前記ベルト空間２３の中には第一回転軸１９と第二回転軸２５とが回転できるように設置され、前記第一回転軸１９が前記第二回転軸２５の左側に位置し、前記第一回転軸１９と前記第二回転軸２５とはベルト２４によって動力が伝達できるように連結され、上側の前記第二回転軸２５の下端が前記スプラインスリーブ２６とスプラインで連結され、下側の前記第二回転軸２５の上端は前記凹空間４１の中に延在し、且つ前記スプラインスリーブ２６の下端とスプラインで連結されることができ、上側の前記第一回転軸１９の下端は前記動力モータ１８に動力が伝達できるように連結され、前記ベルト空間２３において互いに離れた片側には伝動空間２０が連通するように設置され、前記第一回転軸１９において互いに離れた一端が前記伝動空間２０の中に延在し、且つ前記第一回転軸１９において互いに離れた一端には伝動ギヤ２２が固定的に設置され、前記伝動ギヤ２２が前記防火装置６０２と噛み合うように連結され、前記上窓１４が室外まで回転して日光を遮る時、前記動力モータ１８が作動し、前記伸縮板１６が下方へ伸縮し、日除けの区域を調節でき、前記上窓１４と前記下窓４０とが前記窓口１１を閉める時に、前記伸縮板１６が下降し、前記スプラインスリーブ２６は上下の前記第二回転軸２５とスプラインで連結され、上下の前記防火装置６０２が同期作動して防火できる。
【００１８】
実施例に基づき、以下に防火装置６０２について詳しく説明し、前記防火装置６０２は左右対称の防火空間３１を含み、前記防火空間３１の中には装着ブロック３２がスライドできるように設置され、前記装着ブロック３２の外周には環状板３４が固定的に設置され、前記環状板３４の外周には防火密封綿３３が装着され、前記防火空間３１と前記伝動空間２０との間には連結溝３０が連通するように形成され、前記連結溝３０の中にはラック２１がスライドできるように設置され、前記ラック２１において前記伝動空間２０から離れた一端が前記装着ブロック３２と固定的に連結され、前記ラック２１の他端が前記伝動空間２０の中に延在し、且つ前記伝動ギヤ２２と噛み合うように連結され、前記伝動ギヤ２２が回転する時、左右の前記防火密封綿３３が背を向けて移動し、前記窓口１１を閉鎖し、火事時に火勢と煙の広がることを阻止できる。
【００１９】
実施例に基づき、以下に連結装置６０３について詳しく説明し、前記連結装置６０３は連結空間４２を含み、前記上回転軸１２の左端が前記連結空間４２の中に延在し、且つ前記上回転軸１２の左端には第一ベベルギヤ４３が固定的に設置され、前記第一ベベルギヤ４３の下側には連結ギヤ４４が噛み合うように連結され、前記連結ギヤ４４の後端には回転ギヤ４６が噛み合うように連結され、前記回転ギヤ４６の軸心部には連結軸４５が固定的に連結され、前記連結軸４５の下端は前記回転装置６０４と動力が伝達できるように連結され、前記上窓１４の回転で前記窓口１１を開ける時、前記連結装置６０３で前記回転装置６０４を作動させることができ、前記下窓４０の回転を制御して前記窓口１１を開ける。
【００２０】
有益的には、前記連結ギヤ４４はベベルギヤとスパーギヤとの上下に固定的に連結されることで構成され、ベベルギヤ部分が前記第一ベベルギヤ４３と噛み合っており、スパーギヤ部分が前記回転ギヤ４６と噛み合っている。
【００２１】
実施例に基づき、以下に回転装置６０４について詳しく説明し、前記回転装置６０４は回転空間５０を含み、前記回転空間５０が前記連結空間４２と前記窓口１１とを連通し、前記連結軸４５の下端が前記回転空間５０の中に延在し、且つ前記連結軸４５の下端には噛み合いギヤ５１が固定的に設置され、前記噛み合いギヤ５１の左端には推動ブロック５３が噛み合うように連結され、前記回転空間５０の後端壁にはガイドスライド溝５２が連通するように形成され、前記推動ブロック５３の後端が前記ガイドスライド溝５２の中に延在し、且つ前記推動ブロック５３の後端には伸縮ばね５４が固定的に設置され、前記下回転軸８０の左端が前記回転空間５０の中に延在し、且つ前記下回転軸８０の左端には回転ブロック５５が固定的に設置され、前記推動ブロック５３の前端が前記回転ブロック５５と当接し、前記回転ブロック５５の前端と前記回転空間５０との間には圧力ばね５６が固定的に設置され、前記回転ブロック５５の上端が斜面構造であり、且つ前記復帰装置６０５と当接でき、前記回転空間５０の前端壁には磁性ブロック５７が固定的に設置され、前記磁性ブロック５７と前記回転ブロック５５とは磁性で吸引し合うように連結されることができる。
【００２２】
実施例に基づき、以下に復帰装置６０５について詳しく説明し、前記復帰装置６０５は前記回転空間５０と連通した復帰溝６０を含み、前記復帰溝６０の中には復帰ブロック６１がスライドできるように設置され、前記復帰ブロック６１の後端が前記回転ブロック５５と当接でき、前記復帰ブロック６１の中には連通溝６２が形成され、前記復帰ブロック６１の前端と前記復帰溝６０との間には復帰ばね６３が固定的に設置され、前記復帰溝６０の上側にはスライドロッド溝６４が連通するように形成され、前記スライドロッド溝６４の中にはスライドロッド６５がスライドできるように設置され、前記スライドロッド６５の下端が前記連通溝６２の後端と当接し、前記スライドロッド６５の前端面には第一ばね６６が固定的に設置され、前記スライドロッド溝６４の上側には移動溝７２が形成され、前記移動溝７２の中には移動ブロック７３がスライドできるように設置され、前記移動ブロック７３の中には当接溝７４が形成され、前記スライドロッド６５の上端と前記当接溝７４とが当接し、前記移動ブロック７３の前端には第二ばね７５が固定的に設置され、前記移動溝７２と前記窓口１１との間には押圧溝７０が連通するように形成され、前記押圧溝７０の中には押圧ブロック７１がスライドできるように設置され、前記押圧ブロック７１の左端と前記移動ブロック７３とが当接し、前記上窓１４が前方へ回転することで前記窓口１１を開ける時、前記押圧ブロック７１が右方へ移動し、前記復帰ブロック６１は後端が前記回転空間５０から出て、前記回転ブロック５５と前記磁性ブロック５７とが連結され、この時、前記下窓４０が回転することで前記窓口１１を開け、前記上窓１４が回転することで前記窓口１１を閉める時、前記押圧ブロック７１が押されて左方へ移動し、前記復帰ブロック６１が後方へ移動し、前記回転ブロック５５と前記磁性ブロック５７とが離れ、前記下窓４０が回転して初期位置に戻り、最後に前記窓口１１を閉める。
【００２３】
以下に図１〜５を交えて本願発明である防火と日除けの一体化した窓の使用手順について詳しく説明する。
【００２４】
始めに、押圧ブロック７１と上窓１４とが当接し、第二ばね７５と第一ばね６６とが圧縮状態にあり、復帰ばね６３が引っ張り状態にある。
【００２５】
使用時、回転モータ１３が作動し、上窓１４を連動させて前方へ回転させ、押圧ブロック７１が右方へ移動し、移動ブロック７３が後方へ移動し、スライドロッド６５が上方へ移動し、そして復帰ブロック６１は後端が回転空間５０の中から出て、上窓１４が回転する時、第一ベベルギヤ４３が回転し、噛み合いギヤ５１が回転し、推動ブロック５３が前方へ移動することで回転ブロック５５を押して回転させ、回転ブロック５５と磁性ブロック５７とが磁性で吸引し合うように連結され、この時、回転ブロック５５が下窓４０を連動させて前方へ回転させ、窓口１１を開け、日光を遮蔽する時、動力モータ１８が作動し、ネジ山軸１７を回転連動させ、伸縮板１６が下方へ伸びて日除けの区域を増やし、窓口１１を閉める時、回転モータ１３が逆回転し、上窓１４が後方へ回転し、押圧ブロック７１を押して左方へ移動させ、復帰ブロック６１の後方へ移動することで回転ブロック５５と磁性ブロック５７とが分離し、上窓１４が回転する過程において、噛み合いギヤ５１を反転連動させ、推動ブロック５３が後方へ移動して回転ブロック５５から離脱し、圧力ばね５６の弾性復元力のもとで回転ブロック５５が反転し、下窓４０を回転連動させて初期位置に戻し、窓口１１閉め、防火する時、動力モータ１８が作動し、ネジ山軸１７が回転し、伸縮板１６が下降して凹空間４１に延在し、上窓１４と下窓４０とが連結され、この時にスプラインスリーブ２６が上下の第二回転軸２５とスプラインで連結され、動力モータ１８が作動する時、第一回転軸１９も第二回転軸２５も回転し、上下の伝動ギヤ２２が回転し、ラック２１が伝動ギヤから離れた側へ移動し、装着ブロック３２を移動連動させ、防火密封綿３３で窓口１１を閉鎖でき、火勢と煙の広がることを阻止できる。
【００２６】
本願発明の有益効果は：本願発明は上窓と下窓の協働で窓の開閉を実現でき、窓口の風通しの区域を調節でき、また、上窓の中には伸縮板が設置され、日除けの区域の面積を調整でき、他に、上窓と下窓とが挿入されるように連結されることでロックされるため、外へ押す又は内へ引く方法で窓を開けられなく、装置の防犯性と安全性を向上させ、火事の時、防火機能を有する密封綿で火勢と煙の広がることを阻止でき、窓口の密封性と安全性を上げられる。
【００２７】
以上の方式により、本分野の技術者が本願発明の範囲内に作動モードにより各種な変化をすることができる。
【要約】
【課題】本願発明は防火と日除けの一体化した窓を開示した。
【解決手段】
壁体を含み、前記壁体の中には窓口が設置され、前記窓口が室内と室外とを連通し、風通しの機能を有し、前記窓口の中には上回転軸が回転できるように設置され、前記窓口の右端壁の中には回転モータが固定的に設置され、前記上回転軸の右端は前記回転モータに動力が伝達できるように連結され、前記上回転軸には上窓が固定的に設置され、本願発明は上窓と下窓の協働で窓の開閉を実現でき、窓口の風通しの区域を調節でき、また、上窓の中には伸縮板が設置され、日除けの区域の面積を調整でき、他に、上窓と下窓とが挿入されるように連結されることでロックされるため、外へ押す又は内へ引く方法で窓を開けられなく、装置の防犯性と安全性を向上させ、火事の時、防火機能を有する密封綿で火勢と煙の広がることを阻止でき、窓口の密封性と安全性を上げられる。
【選択図】図１【図１】
0006672537.tif 000002
【図２】
0006672537.tif 000003
【図３】
0006672537.tif 000004
【図４】
0006672537.tif 000005
【図５】
0006672537.tif 000006